(57)【要約】  【課題】  光ディスク装置において、確実なディスクチャッキングが可能な技術を提供する。  【解決手段】  ユニットメカ部の昇降変位時におけるディスク平面方向の位置を規制する位置規制手段として、該ユニットメカ部の基台が光ディスクに対し記録または再生が行われる高さ位置にあるときは該基台をディスク平面方向に位置規制する第１の部分と、該基台が光ディスクがターンテーブル上にチャッキングされる高さ位置にあるときは該基台のディスク平面方向の該位置規制を解除または上記第１の部分よりも位置規制を緩やかにする第２の部分とを備えて成る構成のものを設け、上記チャッキングされる高さ位置でターンテーブルを、該ターンテーブルの中心軸が光ディスク中心孔の中心に略一致するように、ディスク平面方向に変位可能にする。【選択図】図３
2007109289.tif 000002
【特許請求の範囲】
【請求項１】
光ディスクをターンテーブル上にチャッキング後、ディスク平面の高さ位置を変えた状態で情報の記録または再生を行う光ディスク装置であって、
装置基盤としての第１の基台と、
上記ターンテーブルを回転駆動するディスクモータが搭載され、上記第１の基台に対し支点周りに回動変位可能な第２の基台と、
上記第１の基台側に回動可能に設けられ、上記ディスクモータの回転軸と略同じ方向に伸びた回動軸の周りにカム面が該回動軸方向に形成されたカム構体と、
上記第２の基台側に設けられ、上記カム構体のカム面に係合するカムピンと、
上記カム構体を回動駆動するカム駆動部と、
上記第２の基台が上記光ディスクに対し記録または再生が行われる第１の高さ位置にあるとき上記カムピンをディスク平面方向に位置規制する第１の部分と、該第２の基台が該光ディスクが上記ターンテーブル上にチャッキングされる第２の高さ位置にあるとき上記カムピンのディスク平面方向の位置規制を解除または上記第１の部分よりも緩やかにする第２の部分とを備えた位置規制手段と、
を備えたことを特徴とする光ディスク装置。
【請求項２】
上記位置規制手段は、上記カム構体の回動によるカム面の高さ位置の変化により、上記カムピンが上記第２の基台を上記第２の高さ位置に移動させたとき、上記ターンテーブルをディスク平面方向に変位可能とし、該ターンテーブルの中心軸を光ディスクの中心孔の中心に略一致させる構成である請求項１に記載の光ディスク装置。
【請求項３】
上記位置規制手段は、上記カムピンの外周をはさみ込む対状の突起部として形成され、上記第２の部分は、上記第１の部分よりも該突起部間の間隔が広くされた構成である請求項１に記載の光ディスク装置。
【請求項４】
上記位置規制手段は、上記カムピンの外周をはさみ込む対状の突起部として形成され、上記第２の部分は、上記第１の部分から遠ざかるに従い該突起部間の間隔が次第に広くされた構成である請求項１に記載の光ディスク装置。
【請求項５】
上記カムピンは、上記カム構体の回動中心軸と上記第２の基台とを結ぶ直線上に配され、上記位置規制手段は、該カム構体と該第２の基台との間に配された構成である請求項１に記載の光ディスク装置。
【請求項６】
光ディスクをターンテーブル上にチャッキング後、ディスク平面の高さ位置を変えた状態で情報の記録または再生を行う光ディスク装置であって、
装置基盤としての第１の基台と、
上記ターンテーブルを回転駆動するディスクモータが搭載され、上記第１の基台に対し支点周りに回動変位可能な第２の基台と、
上記第２の基台が、上記光ディスクに対し記録または再生が行われる第１の高さ位置にあるとき、該第２の基台をディスク平面方向に位置規制する第１の部分と、該第２の基台が、該光ディスクが上記ターンテーブル上にチャッキングされる第２の高さ位置にあるとき、該第２の基台のディスク平面方向の位置規制を解除または上記第１の部分よりも緩やかにする第２の部分とを備えた位置規制手段と、
を備えたことを特徴とする光ディスク装置。
【請求項７】
上記位置規制手段は、上記第２の基台が上記第２の高さ位置に移動したとき、上記ターンテーブルをディスク平面方向に変位可能とし、該ターンテーブルの中心軸を光ディスクの中心孔の中心に略一致させる構成である請求項６に記載の光ディスク装置。
【請求項８】
上記位置規制手段は、装置の裏面側を覆うボトムケース上に突起状に形成された構成である請求項１または請求項６に記載の光ディスク装置。
【請求項９】
装置の厚さ寸法が９．５×１０−３ｍ以下とされた請求項１または請求項６に記載の光ディスク装置。
【発明の詳細な説明】
【技術分野】
【０００１】
本発明は、光ディスク装置に係り、特に、光ディスクをチャッキングするための技術に関する。
【背景技術】
【０００２】
本発明に関連した技術としては、例えば、特開２００５−８５４４９号公報（特許文献１）や特開２００２−３５２４９８号公報（特許文献２）に記載されたものがある。特開２００５−８５４４９号公報には、ディスクドライブ装置において、ベース（ユニットメカ部のベース）３１に固定された支軸（第２の支軸）１０５が係合され支持される鉛直スリット１０３を、ボトムケース４側の折曲げ片１０２に設けるとした構成が記載され、特開２００２−３５２４９８号公報には、ディスク装置において、メインスライダー４０の面に設けた長溝に、ベース部材（ユニットメカ部のベース部材）１６に固定されたカムピン３６を摺動自在に係合させた第１のカム機構４１と、メインスライダー４０とは略直角状に配したサブスライダー５０の面に設けた長溝に、ベース部材（ユニットメカ部のベース部材）１６に固定されたカムピン３７を摺動自在に係合させた第２のカム機構５１と、該サブスライダー５０の両端に設けた同一形状の２つの長溝に、ベース部材（ユニットメカ部のベース部材）１６に固定されたカムピン５３を摺動自在に係合させた第３のカム機構５２とよってトラバース（ユニットメカ部）３０を位置規制しながら昇降変位させるとする構成が記載されている。
【０００３】
【特許文献１】特開２００５−８５４４９号公報
【特許文献２】特開２００２−３５２４９８号公報
【発明の開示】
【発明が解決しようとする課題】
【０００４】
上記公報記載の従来技術のうち、特開２００５−８５４４９号公報記載の技術は、支軸（第２の支軸）１０５が係合される鉛直スリット１０３は、スリット幅が一様なものとして記載されていると考えられるため、ディスクがチャッキングされる高さ位置における該支軸（第２の支軸）１０５のディスク平面方向の位置規制を緩めたり解除したりする構成にはなっておらず、このため、ディスクの中心孔（以下、ディスク中心孔という）の中心に対してターンテーブルの中心軸がずれている場合には、ディスクのターンテーブル上へのチャッキングが正常に行われないおそれがある。また、特開２００２−３５２４９８号公報記載の技術は、カム機構として、第１、第２及び第３の３個のカム機構を用いる構成である上、カムピンをスライダーの面上に形成された長溝に係合させる構成のため、トラバース（ユニットメカ部）の、ディスク平面方向の位置規制機能を有する昇降変位機構部の構造が複雑で寸法も増大し易い。
本発明の課題点は、上記従来技術の状況に鑑み、光ディスク装置において、簡易かつ小型・薄型の装置構成下で、ディスク中心孔に対しターンテーブルの中心軸が偏心している場合にも、正常なチャッキングが行われるようにすることである。
本発明の目的は、かかる課題点を解決し、光ディスク装置において、光ディスクのチャッキングの信頼性を向上させ得る技術を提供することにある。
【課題を解決するための手段】
【０００５】
上記課題点を解決するために、本発明では、光ディスク装置において、ユニットメカ部の昇降変位時におけるディスク平面方向の位置を規制する位置規制手段として、該ユニットメカ部の基台が光ディスクに対し記録または再生が行われる高さ位置にあるときは該基台をディスク平面方向に位置規制する第１の部分と、該基台が光ディスクがターンテーブル上にチャッキングされる高さ位置にあるときは該基台のディスク平面方向の該位置規制を解除または上記第１の部分よりも位置規制を緩やかにする第２の部分とを備えて成る構成とする。
【発明の効果】
【０００６】
本発明によれば、光ディスク装置において、ディスクチャッキングの信頼性の向上を図ることができる。
【発明を実施するための最良の形態】
【０００７】
以下、本発明の実施例につき、図面を用いて説明する。
図１〜図６は本発明の実施例の説明図である。図１は、本発明の一実施例としてのスロットイン型（トレイを用いずにディスクをローディング、アンローディングする方式）の光ディスク装置の全体構成例図、図２は、図１中のＡ部の構成の拡大図、図３は、図１の装置におけるボトムケースの内面側構成図、図４は、図３におけるボトムケース内面のＢ部の構成の拡大図、図５は、図１の装置における昇降機構部の断面図であって、ユニットメカ部がディスクチャッキングのために上昇した位置にあるときの図、図６は、図１の装置における昇降機構部の断面図であって、ユニットメカ部が下降し、記録または再生動作が可能な位置にあるときの図である。なお、図１〜図６において、同じ構成要素には同じ符号を付しかつ同じ座標軸を用いるものとする。
【０００８】
図１は、本発明の実施例としての光ディスク装置の表側（ディスク載置側）の構成例図である。
図１において、１００は光ディスク装置、２は、光ディスク（図示なし）を回転駆動するディスクモータ、２ａは、光ディスクを載置するターンテーブル、３は光ピックアップ、３ａは対物レンズ、４は、装置基盤である第１の基台としてのシャーシ、５は、上記ディスクモータ２及び上記光ピックアップ３が配置されて成るユニットメカ部、５ａは、ユニットメカ部５の支持基盤であって上記ディスクモータ２及び上記光ピックアップ３が搭載され、シャーシ４に対し支点周りに回動変位可能な第２の基台としてのユニットメカデッキ部材、６は、ユニットメカデッキ部材５ａを支点周りに回動させ、シャーシ４に対して昇降変位させるカム構体、７は、ユニットメカデッキ部材５ａ側に設けられ、上記カム構体６のカム面に係合するカムピン、８は、光ディスク装置１００の裏面側を覆うボトムケース、２１は、表面にねじが設けられ、該ねじの回転により光ピックアップ３を光ディスク（図示なし）の略半径方向に移動させるリードスクリュー部材、２２、２３はそれぞれ、リードスクリュー部材２１に平行に設けられ該光ピックアップ３の移動を案内するガイド部材、３０は、リードスクリュー部材３１を回転駆動する送りモータ、４０は、光ディスクをローディング移動またはアンローディング移動させる駆動力を発生するローディングモータ、４１は、ローディングモータ４０から駆動力を負荷側に伝達する伝達用ギヤ列、５０は、光ディスクが前面パネル（図示なし）側からＹ軸方向に装置本体内に挿入されたとき及び光ディスクが装置本体内から前面パネル側に排出されるときに、該挿入・排出動作のための駆動力伝達を行うアーム部材、５０ａはアーム部材５０のアーム部、５０ｂは、アーム部５０ａを支点周りに回動可能に支持するアーム支持部、７０は、前面パネル側から挿入された光ディスクをさらに装置本体内に引き込むためのディスクスロットアーム部材、８０はサブレバー部材、ｇ、ｈは、ユニットメカデッキ部材５ａの回動支点、Ｐ−Ｐ'は、回動支点ｇ、ｈを通る直線（以下、支点線という）、２００は、カムピン７の両側で該カムピン７の外周をはさむ位置に突起状に形成され、ユニットメカ部５のディスク平面方向の位置を規制する位置規制手段としての対状の位置規制用突起部である。
【０００９】
第２の基台としてのユニットメカデッキ部材５ａ上には、リードスクリュー部材２１、ガイド部材２２、２３及び送りモータ３０も、ディスクモータ２や光ピックアップ３とともに搭載され、ユニットメカ部５を構成している。カム構体６は、柱状体の外周部にカム面を形成したカム溝が設けられた構成であって、シャーシ４上で、ターンテーブル２ａ上にチャッキングされた光ディスクの正投影領域（光ディスクの円形平面が正投影された円形領域）の範囲内に回動可能に設けられる。カム構体６の回動軸は、ディスクモータ２の回転軸と略同じ方向（Ｚ軸方向）とされ、カム溝は、該回動軸の周りにカム面が該回動軸方向（Ｚ軸方向）に形成されている。カムピン７は、その先端部が該カム溝内に挿入されカム面に係合する。カム構体６とカムピン７は、ユニットメカデッキ部材５ａを、回動支点ｇ、ｈ周りすなわち支点線Ｐ−Ｐ'周りに回動させ、シャーシ４に対して昇降変位させる昇降機構部を構成する。
【００１０】
位置規制用突起部２００は、カムピン７の両側で該カムピン７のディスク平面方向の変位を規制することでユニットメカデッキ部材５ａのディスク平面方向の位置を規制し、ユニットメカ部５のディスク平面方向の位置を規制する。該位置規制用突起部２００は、ユニットメカデッキ部材５ａが光ディスクに対し記録または再生が行われる高さ位置（＝第１の高さ位置）にあるときカムピン７をディスク平面方向に位置規制する第１の部分と、該ユニットメカデッキ部材５ａが光ディスクが上記ターンテーブル２ａ上にチャッキングされる高さ位置（＝第２の高さ位置）にあるときカムピン７のディスク平面方向の位置規制を解除または上記第１の部分よりも位置規制を緩やかにする第２の部分とを備える。位置規制用突起部２００において、上記第１の部分は、突起部相互間の間隔が相対的に狭くされカムピン７の外径に対する寸法余裕を少なくされ、第２の部分は、突起部相互間の間隔が相対的に広くされカムピン７の外径に対する寸法余裕が第１の部分よりも増大するようにされている。光ディスク装置１００の表面側はトップカバー部材（図示なし）で覆われる。本実施例の光ディスク装置１００では、カムピン７の外径は約２．５×１０−３ｍ、位置規制用突起部２００の第１の部分における該カムピン７外径に対する寸法余裕は約０．１×１０−３ｍ、同第２の部分における同寸法余裕は約０．５×１０−３ｍ以上とされている。また、装置の全体厚さ寸法（トップカバー部材の外表面とボトムケース８の外表面との間の距離）は、９．５×１０−３ｍ以下とされているものとする。
以下、説明中で用いる図１の構成要素には、図１におけると同じ符号を付して用いる。
【００１１】
図２は、図１中のＡ部の構成の拡大図である。
図２において、６ａは、カム構体６内にあってカム構体６の回動軸に同心状に設けられたカム構体６の被駆動部としての被駆動ギヤ、６ｂは、カム構体６内にあってカム面が形成される部分、６ｃは、カム構体６の回動軸、９は、カム構体６の被駆動ギヤ６ａに係合され、カム構体６を回動軸６ｃ周りに回動させるための駆動力を該被駆動ギヤ６ａに伝える駆動ギヤ、２００ａ、２００ｂはそれぞれ、対状の位置規制用突起部２００の片側の突起部である。他の符号は図１の場合と同様である。カムピン７は、カム構体６の回動軸６ｃの中心（回動中心軸）とユニットメカデッキ部材５ａとを結ぶ直線上に配される。対状の位置規制用突起部２００は、該カムピン７の両側に配された突起部２００ａ、２００ｂから成る。該突起部２００ａ、２００ｂは、該カムピン７のディスク平面方向の移動変位を規制し、ユニットメカデッキ部材５ａを含むユニットメカ部５のディスク平面方向の位置を規制する。該突起部２００ａ、２００ｂは、ボトムケース８の平面部に該平面部と一体状に設けられる。
【００１２】
例えば、光ディスクがローディングされるときは、光ディスクが装置本体内の所定位置に挿入されると、ローディングモータ４０が回転を開始し、該ローディングモータ４０の回転駆動力が伝達用ギヤ列４１に伝達され、さらに該伝達用ギヤ列４１に接続されたレバー部材（図示なし）に伝達され、カム駆動部の駆動ギヤ９をその回動軸周りに回動させる。駆動ギヤ９は、回動により被駆動ギヤ６ａを駆動し、カム構体６を回動軸６ｃ周りに回動させる。カム構体６の該回動につれてカム面がカムピン７に対して移動し、該カム面のＺ軸方向の高さ位置が高くなる。これにより、カムピン７は、カム構体６の回動軸方向すなわちＺ軸方向にカム面の曲線にならって上昇変位する。カムピン７がＺ軸方向に上昇変位することで、ユニットメカデッキ部材５ａが、回動支点ｇ、ｈ周りすなわち支点線Ｐ−Ｐ'周りに回動し、該ユニットメカデッキ部材５ａ上のディスクモータ２やターンテーブル２ａを、シャーシ４に対して上昇移動させる。ターンテーブル２ａの該上昇移動により、光ディスクが上昇移動されトップカバーの内面部に押し当てられた状態でチャッキングされる。該チャッキングされるとき、すなわち該チャッキングが開始され、終了するまでの動作範囲のとき、カムピン７は、カム面のＺ軸方向の極大点の直前部の位置から該極大点の位置にかけての範囲内にあって、ユニットメカデッキ部材５ａを、第２の高さ位置すなわち光ディスクがターンテーブル２ａ上にチャッキングされる高さ位置にする。ユニットメカデッキ部材５ａを該第２の高さ位置にしているとき、カムピン７は、対状の位置規制用突起部２００すなわち突起部２００ａ、２００ｂの第２の部分ではさまれた高さ位置にあり、該位置規制用突起部２００によるディスク平面方向の位置規制が解除された状態または該位置規制が緩やかにされた状態にある。該状態にあることでカムピン７のディスク平面方向の移動自由度が高く、このため、ユニットメカデッキ部材５ａ上のターンテーブル２ａはその中心軸が光ディスクの中心孔の中心位置からずれていても、該ターンテーブル２ａの傾斜状側面形状と、ユニットメカデッキ部材５ａの上昇変位による該ターンテーブル２ａの上昇移動とにより、該ターンテーブル２ａの中心軸は光ディスクの中心孔の中心に略一致するようにされ、正常なディスクチャッキングが可能となる。
【００１３】
チャッキング終了後は、カム構体６がさらに同じ方向に回動し、これによってカムピン７は、カム面のＺ軸方向の極大点を過ぎて−Ｚ軸方向に下降変位し、所定の高さ位置で停止する。該高さ位置で光ディスクはディスクモータ２によって回転可能となり、装置は記録または再生動作が可能な状態となる。該状態のとき、カムピン７は、ユニットメカデッキ部材５ａを、第１の高さ位置すなわち光ディスク装置が記録または再生動作を行える高さ位置にする。ユニットメカデッキ部材５ａを該第１の高さ位置にしているとき、カムピン７は、対状の位置規制用突起部２００すなわち突起部２００ａ、２００ｂの第１の部分によりはさまれた高さ位置にあり、該位置規制用突起部２００によるディスク平面方向の位置規制がされた状態にある。
【００１４】
図３は、図１の装置におけるボトムケース８の内面側の構成例図である。
図３においては、対状の位置規制用突起部２００の各突起部２００ａ、２００ｂは、ボトムケース８の内面側の平面部８ａに、該平面部８ａの一部が折り曲げられて該平面部８ａと一体状に構成されている。
【００１５】
図４は、図３のボトムケース８の内面側構成におけるＢ部の拡大図である。
図４において、２００ａ１、２００ｂ１はそれぞれ、突起部２００ａ、２００ｂの第１の部分、２００ａ２、２００ｂ２はそれぞれ、突起部２００ａ、２００ｂの第２の部分、２００ａ１ｅは第１の部分２００ａ１の端面部、２００ａ２ｅは第２の部分２００ａ２の端面部、２００ｂ１ｅは第１の部分２００ｂ１の端面部、２００ｂ２ｅは第２の部分２００ｂ２の端面部、ｄ１は、端面部２００ａ１ｅ、２００ｂ１ｅ間の距離、ｄ２は、端面部２００ａ２ｅ、２００ｂ２ｅ間の距離である。第１の部分２００ａ１、２００ｂ１はそれぞれ、端面部２００ａ１ｅ、２００ｂ１ｅがＺ軸方向に略平行とされ、距離ｄ１が略一定値とされている。また、第２の部分２００ａ２、２００ｂ２はそれぞれ、端面部２００ａ２ｅ、２００ｂ２ｅがＺ軸方向に傾斜状とされ、Ｚ軸方向に高い位置になるにつれ（＝第１の部分２００ａ１、２００ｂ１から遠ざかるにつれ）距離ｄ２が増大するようになっている。距離ｄ１は、第１の部分２００ａ１、２００ｂ１間にはさまれるカムピン７の部分の外径よりも大きくて該外径に近い値とされ、距離ｄ１は、第２の部分２００ａ２、２００ｂ２間にはさまれるカムピン７の部分の外径よりも十分大きな値とされる。端面部２００ａ２ｅ、２００ｂ２ｅは、その一方または両方が、直平面状の傾斜面であってもよいし、曲面状の傾斜面であってもよい。また、該両端面部は、その傾斜面の傾斜角や曲率が、互いに等しくてもよいし、異なっていてもよい。
【００１６】
図５及び図６は、図１の装置における昇降機構部の断面図である。図５は、ユニットメカ部がディスクチャッキングのために上昇した位置にあるときの図、図６は、ユニットメカ部が下降し、記録または再生動作が可能な位置にあるときの図である。それぞれの図において、（ａ）は、カム構体６の回動中心軸（回動軸６ｃの中心）とカムピン７の中心軸（Ｙ'軸方向の中心軸）を通る直線の位置におけるＺ軸方向の断面を示し、（ｂ）は、（ａ）中のＡ−Ａ部分のＸ'軸方向の断面を示す。
【００１７】
光ディスクが光ディスク装置１００の装置本体内にローディングされ、ターンテーブル２ａ上にチャッキングされるとき、駆動ギヤ９により回動されたカム構体６が、カムピン７をＺ軸方向にカム面にならって上昇移動させ、位置規制用突起部２００の各突起部２００ａ、２００ｂの第１の部分２００ａ１、２００ｂ１間の空間すなわち第１の部分２００ａ１の端面部２００ａ１ｅと第１の部分２００ｂ１の端面部２００ｂ１ｅとの間の空間２０１の高さ位置から、第２の部分２００ａ２、２００ｂ２間の空間すなわち第２の部分２００ａ２の端面部２００ａ２ｅと第２の部分２００ｂ２の端面部２００ｂ２ｅとの間の空間２０２の高さ位置に達した状態（図５（ａ）、（ｂ））にする。該図５の状態においては、カムピン７は空間２０２内にあるため、位置規制用突起部２００の第２の部分２００ａ２、２００ｂ２によるディスク平面方向の位置規制は解除もしくは緩やかにされる。光ディスクのターンテーブル２ａへのチャッキングが開始され、終了するまでの動作範囲においては、該カムピン７は空間２０２内にあるため、位置規制用突起部２００によるディスク平面方向の位置規制は解除もしくは緩やかにされた状態にある。このため、光ディスクのターンテーブル２ａへのチャッキングが開始されるとき、該カムピン７が固定されたユニットメカデッキ部材５ａ上のターンテーブル２ａも、ディスク平面方向の位置規制は解除もしくは緩やかにされ、該ディスク平面方向の移動自由度が高い状態とされる。このため、ターンテーブル２ａはその中心軸が光ディスクの中心孔の中心位置からずれていても、該ターンテーブル２ａの中心軸は光ディスクの中心孔の中心に略一致するように変位され、正常なディスクチャッキングがなされる。
【００１８】
チャッキング終了後は、カムピン７は、カム構体６のカム面にならって−Ｚ軸方向に下降変位し、装置の記録または再生動作が可能となる所定の高さ位置で停止する。すなわち、カムピン７は、位置規制用突起部２００の各突起部２００ａ、２００ｂの第２の部分２００ａ２、２００ｂ２間の空間２０２内の高さ位置から、第１の部分２００ａ１、２００ｂ１間の空間２０１内の所定の高さ位置（装置の記録または再生動作が可能となる高さ位置）に下降した状態（図６（ａ）、（ｂ））となる。該空間２０１内の高さ位置では、カムピン７は、ユニットメカデッキ部材５ａを含むユニットメカ部とともに、位置規制用突起部２００の各突起部２００ａ、２００ｂによってディスク平面方向に位置規制され、正常な位置に保持された状態となる。
【００１９】
上記実施例によれば、光ディスクをターンテーブルに対し確実にチャッキングすることができ、チャッキングの信頼性向上が可能となる。また、位置規制用突起部２００の突起部２００ａ、２００ｂは、第２の部分２００ａ２、２００ｂ２がそれぞれ、端面部２００ａ２ｅ、２００ｂ２ｅがＺ軸方向に傾斜状とされているため、チャッキング後、記録または再生動作を行う等のために、カムピン７が、該位置規制用突起部２００の突起部２００ａ、２００ｂの第２の部分２００ａ２、２００ｂ２間の空間２０２内から、第１の部分２００ａ１、２００ｂ１間の空間２０１内に移動するとき、該移動動作が滑らかに行われる。
【００２０】
なお、上記実施例では、位置規制手段を、板状かつボトムケース８と一体状に形成された位置規制用突起部２００としたが、本発明はこれに限定されず、該位置規制手段は、例えば柱状等の非板状の構成であってもよいし、また、ボトムケース８とは別個のものとし、該ボトムケース８やシャーシ４やカム構体６などに固定する構成としてもよい。さらには、該位置規制手段は、シャーシ４やカム構体６などと一体化した構成であってもよい。
また、上記実施例では、ユニットメカデッキ部材５ａを回動させ昇降変位させる昇降機構部として、カム構体６とカムピン７を備えて成る構成としたが、本発明はこれにも限定されず、該構成と同等以上の作用・効果が得られる手段であればそれによる構成であってもよい。
【図面の簡単な説明】
【００２１】
【図１】本発明の実施例としての光ディスク装置の全体構成例図である。
【図２】図１中のＡ部の拡大図である。
【図３】図１の装置におけるボトムケースの内面側構成図である。
【図４】図３におけるボトムケース内面のＢ部の構成の拡大図である。
【図５】図１の装置における昇降機構部の断面図であって、ユニットメカ部がチャッキングのために上昇したときの状態を示す図である。
【図６】図１の装置における昇降機構部の断面図であって、ユニットメカ部が記録または再生動作可能な位置に下降したときの状態を示す図である。
【符号の説明】
【００２２】
２…ディスクモータ、
２ａ…ターンテーブル、
３…光ピックアップ、
３ａ…対物レンズ、
４…シャーシ、
５…ユニットメカ部、
５ａ…ユニットメカデッキ部材、
６…カム構体、
６ａ…被駆動ギヤ、
６ｂ…カム面が形成される部分、
６ｃ…回動軸、
７…カムピン、
８…ボトムケース、
９…駆動ギヤ、
２１…リードスクリュー部材、
２２、２３…ガイド部材、
３０…送りモータ、
４０…ローディングモータ、
４１…伝達用ギヤ列、
５０…アーム部材、
７０…ディスクスロットアーム部材、
８０…サブレバー部材、
１００…光ディスク装置、
２００…位置規制用突起部、
ｇ、ｈ…回動支点、
Ｐ−Ｐ'…支点線。
【図１】
2007109289.tif 000003
【図２】
2007109289.tif 000004
【図３】
2007109289.tif 000005
【図４】
2007109289.tif 000006
【図５】
2007109289.tif 000007
【図６】
2007109289.tif 000008